(57)【要約】【課題】  フラットパネルディスプレイを用い、その表示内容を切り換え可能な車両用表示装置において、表示内容の切り換えに際して利用者が情報を容易に認識することが可能な車両用表示装置を提供する。【解決手段】  車両用表示装置は、車両情報を表示するフラットパネルディスプレイ１と、フラットパネルディスプレイ１の表示モードの切り換えを制御する制御手段４と、を備える。前記表示モードは、指針部と指標部とを表示して前記車両情報を示すアナログ表示部と数字を表示して前記車両情報を示すデジタル表示部とを並べて表示する計器表示モードと、前記車両情報表示モード以外の他の表示モード、とを少なくとも含み、制御手段４は、前記計器表示モードから前記他の表示モードに前記フラットパネルディスプレイの表示を切り換える場合に、前記他の表示モードにおいて、前記デジタル表示部を前記計器表示モードと同位置に維持させてなる。【選択図】  図１
2009056864.tif 000002
【特許請求の範囲】
【請求項１】
車両情報を表示するフラットパネルディスプレイと、前記フラットパネルディスプレイの表示モードの切り換えを制御する制御手段と、を備え、
前記表示モードは、指針部と指標部とを表示して前記車両情報を示すアナログ表示部と数字を表示して前記車両情報を示すデジタル表示部とを並べて表示する計器表示モードと、前記車両情報表示モード以外の他の表示モード、とを少なくとも含み、
前記制御手段は、前記計器表示モードから前記他の表示モードに前記フラットパネルディスプレイの表示を切り換える場合に、前記他の表示モードにおいて、前記デジタル表示部を前記計器表示モードと同位置に維持させてなることを特徴とする車両用表示装置。
【請求項２】
前記制御手段は、前記表示モードの切り換えに際して前記フラットパネルディスプレイの表示を徐々に切り換えさせることを特徴とする請求項１に記載の車両用表示装置。
【請求項３】
前記他の表示モードは、車両の周囲を撮像した周辺画像を表示することを特徴とする請求項１に記載の車両用表示装置。
【請求項４】
車両情報を表示するフラットパネルディスプレイと、前記フラットパネルディスプレイの前方に配置される指針と、前記フラットパネルディスプレイの表示モードの切り換えを制御する制御手段と、を備え、
前記表示モードは、前記指針によって指示される指標部を表示して前記車両情報を示すアナログ表示部と数字を表示して前記車両情報を示すデジタル表示部とを並べて表示する計器表示モードと、前記計器表示モード以外の他の表示モードとを少なくとも含み、
前記制御手段は、前記計器表示モードから前記他の表示モードに前記フラットパネルディスプレイの表示を切り換える場合に、前記他の表示モードにおいて、前記デジタル表示部を前記車両情報表示モードと同位置に維持させてなることを特徴とする車両用表示装置。
【請求項５】
前記制御手段は、前記表示モードの切り換えに際して前記フラットパネルディスプレイの表示を徐々に切り換えさせることを特徴とする請求項４に記載の車両用表示装置。
【請求項６】
前記他の表示モードは、車両の周囲を撮像した周辺画像を表示することを特徴とする請求項４に記載の車両用表示装置。
【発明の詳細な説明】
【技術分野】
【０００１】
本発明は、車両情報を表示する車両用表示装置に関するものである。
【背景技術】
【０００２】
車速，エンジン回転数，水温，油圧等の様々な車両に関する情報（以下、車両情報という）を表示する車両用表示装置としては、例えば速度計や回転計及び燃料計等がケース体に収納され、ユニット化されたコンビネーションメータが最も一般的である。
【０００３】
また、このような車両用表示装置は、斬新なデザインが望まれており、ＬＣＤパネルやＥＬパネルあるいはプラズマディスプレイ等のフラットパネルディスプレイを用い、このフラットパネルディスプレイに種々の車両情報を表示させ、またその表示内容を任意に変更させるものがある。このような車両用表示装置としては、例えば特許文献１，２に開示されている。
【特許文献１】特開２０００−２３８５５２号公報
【特許文献２】特開２００２−２３３０号公報
【発明の開示】
【発明が解決しようとする課題】
【０００４】
また、前述のように前記フラットパネルディスプレイを備える車両用表示装置においては、車両情報の他にも車両の周辺を撮像した周辺画像を表示するなど表示内容はさらに多様化し、表示内容を切り換える頻度は益々多くなる。しかしながら、表示の切り換えに際しては情報の変化量が大きいために利用者が戸惑いを感じやすく、更なる改良の余地があった。
【０００５】
そこで、本発明は、上述した課題に着目してなされたものであり、フラットパネルディスプレイを用い、その表示内容を切り換え可能な車両用表示装置において、表示内容の切り換えに際して利用者が情報を容易に認識することが可能な車両用表示装置を提供することを目的とするものである。
【課題を解決するための手段】
【０００６】
本発明は、前記課題を解決するため、車両情報を表示するフラットパネルディスプレイと、前記フラットパネルディスプレイの表示モードの切り換えを制御する制御手段と、を備え、前記表示モードは、指針部と指標部とを表示して前記車両情報を示すアナログ表示部と数字を表示して前記車両情報を示すデジタル表示部とを並べて表示する計器表示モードと、前記車両情報表示モード以外の他の表示モード、とを少なくとも含み、前記制御手段は、前記計器表示モードから前記他の表示モードに前記フラットパネルディスプレイの表示を切り換える場合に、前記他の表示モードにおいて、前記デジタル表示部を前記計器表示モードと同位置に維持させてなることを特徴とする。
【０００７】
また、前記制御手段は、前記表示モードの切り換えに際して前記フラットパネルディスプレイの表示を徐々に切り換えさせることを特徴とする。
【０００８】
また、前記他の表示モードは、車両の周囲を撮像した周辺画像を表示することを特徴とする。
【０００９】
本発明は、前記課題を解決するため、車両情報を表示するフラットパネルディスプレイと、前記フラットパネルディスプレイの前方に配置される指針と、前記フラットパネルディスプレイの表示モードの切り換えを制御する制御手段と、を備え、前記表示モードは、前記指針によって指示される指標部を表示して前記車両情報を示すアナログ表示部と数字を表示して前記車両情報を示すデジタル表示部とを並べて表示する計器表示モードと、前記計器表示モード以外の他の表示モードとを少なくとも含み、前記制御手段は、前記計器表示モードから前記他の表示モードに前記フラットパネルディスプレイの表示を切り換える場合に、前記他の表示モードにおいて、前記デジタル表示部を前記計器表示モードと同位置に維持させてなることを特徴とする。
【００１０】
また、前記制御手段は、前記表示モードの切り換えに際して前記フラットパネルディスプレイの表示を徐々に切り換えさせることを特徴とする。
【００１１】
また、前記他の表示モードは、車両の周囲を撮像した周辺画像を表示することを特徴とする。
【発明の効果】
【００１２】
本発明は、フラットパネルディスプレイを用い、その表示内容を切り換え可能な車両用表示装置に関するものであり、表示内容の切り換えに際して利用者が情報を容易に認識することが可能となる。
【発明を実施するための最良の形態】
【００１３】
以下、本発明を適用した実施形態を添付図面に基づいて説明する。
【００１４】
図１及び図２を用いて車両用表示装置の全体構成を説明する。車両用表示装置は、表示手段１と、車両情報検出手段２と、撮像手段３と、制御手段４とから主に構成されている。
【００１５】
表示手段１は、ＬＣＤパネルやＥＬパネルあるいはプラズマディスプレイ等のフラットパネルディスプレイからなるものである。また表示手段１は、後述する複数の表示モードを切り換えて表示可能なものである。
【００１６】
車両情報検出手段２は、車両情報を検出するものであり、本実施形態では、少なくとも車両情報として車両のエンジン回転数と車速を検出するものであって、例えばＴＡパルス及びスピードセンサあるいは車両側ＥＣＵからなる。
【００１７】
撮像素子３は、車両の周辺を撮像して車両の周辺画像を得るためのものであり、本実施形態においては、車両前方を撮像する赤外線カメラからなる。
【００１８】
制御手段４は、ＣＰＵ，ＲＯＭ，ＲＡＭ及び入出力インターフェイス等を備えたマイクロコンピュータから構成される。制御手段４は、車両情報検出手段２から状態信号を入力し、前記状態信号に基づいて車両情報の計測データを所定の演算処理によって求め、前記計測データに応じた駆動信号を所定周期で表示手段１へ出力して表示手段１を表示駆動させるものである。また、制御手段４は、所定の切換信号に応じて表示手段１の表示モードの切り換えを行う機能を有している。
【００１９】
以上の各部によって車両用表示装置が構成されている。次に、車両用表示装置における表示手段１の表示モードの切り換えについて説明する。
【００２０】
図２は、前記表示モードとして計器表示モードにて表示駆動する表示手段１を示すものである。前記計器表示モードは、前記車両情報としてエンジン回転数を表示する第一のアナログ表示部１ａと、前記車両情報として車速を表示する第二のアナログ表示部１ｂと、前記車両情報として車速を表示するデジタル表示部１ｃとを有する。第一，第二のアナログ表示部１ａ，１ｂは、それぞれアナログ計器における指針を模した表示像である指針部１ａ１，１ｂ１と複数の指標からなる指標部１ａ２，１ｂ２とを含み、前記各車両情報の変化に応じて指針部１ａ１，１ｂ１の表示位置を移動させて前記各車両情報を表示する。デジタル表示部１ｃは、第二のアナログ表示部１ｂと並べて表示されるものであって、第二のアナログ表示部１ｂと同様の前記車両情報を数字で表示するものである。
【００２１】
制御手段４は、表示手段１が前記計器表示モードである場合に前記切換信号として例えば所定のスイッチ入力を検出すると、表示手段１の表示モードを前記計器表示モードからナイトビジョン表示モード（他の表示モード）に切り換える。このとき、制御手段４は、デジタル表示部１ｃを前記計器表示モードと同位置に維持して表示させる。図３は、前記ナイトビジョン表示モードにて表示駆動する表示手段１を示すものである。前記ナイトビジョン表示モードは、撮像素子３によって撮像された周辺画像１ｄと、前記車両情報として車速を表示するデジタル表示部１ｃとを有する。周辺画像１ｄは、例えば車両前方の道路画像１ｄ１や人物１ｄ２を含み、夜間走行において運転者にヘッドライトの光が届かないエリアの状況を報知するものである。また、デジタル表示部１ｃは、前述の計器表示モードと同位置に維持して表示されている。
【００２２】
また、制御手段４は、前記表示手段１が前記ナイトビジョン表示モードである場合に前記切換信号の入力を検出すると前記表示手段１の表示モードを前記ナイトビジョン表示モードから前記計器表示モードに切り換える。このときも、制御手段４は、デジタル表示部１ｃを同位置に維持して表示させる。すなわち、デジタル表示部１ｃは、前記表示モードの切り換えにかかわらず、同位置に表示が維持されるものである。
【００２３】
また、制御手段４は、前記表示モードを切り換える際に、表示手段１の表示を徐々に切り換えさせる。すなわち、前記計器表示モードから前記ナイトビジョン表示モードへ前記表示モードを切り換える場合には、前記計器表示モードにおける第一，第二のアナログ表示部１ａ，１ｂが徐々に消えていくようにし（フェードアウト）、前記ナイトビジョン表示モードにおける周辺画像１ｄを徐々に表示させる（フェードイン）。なお、デジタル表示部１ｃは、表示が維持されるので特に表示は変化しない。
【００２４】
かかる車両用表示装置は、重要な車両情報（車速）を、車両情報の表示を中心とする前記計器表示モードにおいては第二のアナログ表示部１ａとデジタル表示部１ｃとで並記し、さらに、車両情報以外の情報の表示を中心とする他の表示モード（ナイトビジョン表示モード）においてはデジタル表示部１ｃのみを同一位置に維持して表示させることによって、表示モードが切り換えられる場合であっても、重要な情報の所在を利用者が容易に認識することが可能となる。また、表示モードの切り換えに際して表示手段１の表示を徐々に切り換えさせることによって、利用者が表示の切り替わりを容易に認識することができ、利用者が表示の変化に戸惑うことを防止することができる。
【００２５】
なお、本実施形態においては、車速の表示についてのみ本発明を適用して、前記計器表示モードにおいては第二のアナログ表示部１ｂとデジタル表示部１ｃとで車速を表示し、前記ナイトビジョン表示モードにおいては、前記計器表示モードと同位置にデジタル表示部１ｃを維持するものであったが、本発明は、車速以外の車両情報であるエンジン回転数，水温あるいは残燃料等の表示にも適用できる。
【００２６】
また、本実施形態においては、表示手段１は、前記計器表示モードにおいて、表示像として指針部１ａ１，１ｂ１を表示するものであったが、図４に示すように、表示手段１の前方に実体の指針５，６を配置する構造であっても本発明の効果を十分に得ることができる。かかる構造においては、例えば指針５，６を表示手段１の前方に配置される透明基板上に配設し、前記表示モードを前記ナイトビジョン表示モードに切り換える際に指針５，６を表示手段１前方から移動させる移動機構を設けることが望ましい。
【００２７】
他の実施形態である車両用表示装置は、車両情報を表示する表示手段１と、表示手段１の前方に配置される指針１ｂ１と、前記表示手段１の表示モードの切り換えを制御する制御手段４と、を備え、前記表示モードは、指針１ｂ１によって指示される指標部１ｂ２を表示して前記車両情報を示す第二のアナログ表示部１ｂと数字を表示して前記車両情報を示すデジタル表示部１ｃとを並べて表示する計器表示モードと、前記計器表示モード以外のナイトビジョン表示モード（他の表示モード）とを少なくとも含み、制御手段４は、前記計器表示モードから前記ナイトビジョン表示モードに表示手段１の表示を切り換える場合に、前記ナイトビジョン表示モードにおいて、デジタル表示部１ｃを前記車両情報表示モードと同位置に維持させてなる。また、制御手段４は、前記表示モードの切り換えに際して表示手段１の表示を徐々に切り換えさせる。また、前記ナイトビジョン表示モードは、車両の周囲を撮像した周辺画像１ｄを表示する。
【図面の簡単な説明】
【００２８】
【図１】本発明の実施形態である車両用表示装置の電気的構成を示す図。
【図２】同上の車両用表示装置を示す図。
【図３】同上の車両用表示装置を示す図。
【図４】本発明の他の実施形態である車両用表示装置を示す図。
【符号の説明】
【００２９】
１    表示手段（フラットパネルディスプレイ）
１ａ  第一のアナログ表示部
１ａ１  指針部
１ａ２  指標部
１ｂ  第二のアナログ表示部
１ｂ１  指針部
１ｂ２  指標部
１ｃ  デジタル表示部
１ｄ  周辺画像
１ｄ１  道路画像
１ｄ２  人物
２    車両情報検出手段
３    撮像素子
４    制御手段
【図１】
2009056864.tif 000003
【図２】
2009056864.tif 000004
【図３】
2009056864.tif 000005
【図４】
2009056864.tif 000006